(57)【要約】      （修正有）【課題】コネクタのケーブル構造を提供する。【解決手段】絶縁層１４で一以上の遮蔽隔離層１３を被覆し、その遮蔽隔離層内側でさらに絶縁層１４により、複数の芯線ユニット１１と電源線１２を被覆し、該芯線ユニットは、外部には、遮蔽層１１２を有すると共に、複数の相隣し、コネクタピンと整合する順に配列された芯線１１１からなり、ケーブルは扁平状をなす。芯線が、精確にコネクタピンと整合するので、コネクタとの接続が容易であり、遮蔽層は、芯線ユニットの電磁波を遮蔽し、遮蔽隔離層により、外部電磁波とノイズを隔離して高周波伝送信号の特性を達成する。また、芯線とコネクタは、電子製品の外表面に沿って配線することができる。【選択図】図４
0003115454.tif 000002
【実用新案登録請求の範囲】
【請求項１】
高周波伝送コネクタに対する、断面が偏平形状をしたケーブル構造であって、
芯線ユニット、電源線、遮蔽隔離層、及び絶縁層、からなり、
前記絶縁層は、一つ、或いは、それ以上の遮蔽隔離層を被覆すると共に、該遮蔽隔離層内側にて複数の芯線ユニットと電源線を被覆し、
該芯線ユニットは、複数の相隣し、且つコネクタのピンと対応して順に配列をなした芯線からなり、前記芯線ユニット外部は、遮蔽層で包覆すると共に、
芯線と該電源線はこれらの配列に従い、上記コネクタと電気的に接続するようにしてなることを特徴とするコネクタのケーブル構造。
【請求項２】
前記高周波伝送コネクタは、ハイ・デフィニション・マルチメディア・インターフェース（High  Definition  Multimedia  Interface、HDMI）に対応するものであることを特徴とする請求項１に記載のコネクタのケーブル構造。
【請求項３】
前記遮蔽層は、アルミ箔であることを特徴とする請求項１に記載のコネクタのケーブル構造。
【請求項４】
前記電源線は、単芯の銅線であることを特徴とする請求項１に記載のコネクタのケーブル構造。
【請求項５】
前記電源線は、多芯銅線で囲繞してなることを特徴とする請求項１に記載のコネクタのケーブル構造。
【請求項６】
前記遮蔽隔離層は、アルミ箔を包覆してなることを特徴とする請求項１に記載のコネクタのケーブル構造。
【請求項７】
前記遮蔽隔離層は、銅線で囲繞してなることを特徴とする請求項１に記載のコネクタのケーブル構造。
【請求項８】
前記遮蔽隔離層は、銅線を編織してなることを特徴とする請求項１に記載のコネクタのケーブル構造。
【考案の詳細な説明】
【技術分野】
【０００１】
本考案は、コネクタのケーブル構造に関するものであって、特に、芯線を、精確に、コネクタピンと整合させることが出来るケーブル構造で、且つ、遮蔽隔離層と遮蔽層により、外部電磁波とノイズを遮断し、理想的な高周波伝送信号の特性品質を達成し、ケーブルコネクタ素子を、電子製品の外表面の配線に貼合し、消費者の使用空間を増加するケーブル構造に関するものである。
【背景技術】
【０００２】
ハイ・デフィニション・マルチメディア・インターフェース（High  Definition  Multimedia  Interface、HDMI）は、高解像度画面信号とマルチチャネル音声周波数信号を伝送するトランスポートインターフェースを有する。製品の設計上、HDMIは、デジタルビジュアルインターフェース（Digital  Visual  Interface、DVI）規格に符合する以外に、デジタル音声周波数信号を、HDMIコネクタの設計に組み入れており、機能上、DVIと完全に同様で、トランスポートデジタル画像信号とデジタル音声周波数信号の機能を兼ね備え、且つ、データは全て、圧縮を経ずに伝送され、偏向しにくい。
【０００３】
近年、デジタル家電産業が迅速に発展し、最高の画像品質を、消費者の家庭内の視聴製品内で表現するために、HDMIは、未来の視聴産業発展の大きな趨勢であり、理想的な高周波伝送信号の特性品質を有し、更に、未来の視聴産業において、不可欠なものである。しかし、公知の信号トランスポートケーブルA中間の芯線A１は、重畳状であり、芯線A１とコネクタBの導電端子のピンB１は、直接整合することができず（図７で示される）、組立作業の難度が高く、非常に不便である。また、作業中に、引っ張られて、芯線A１の接続不良になりやすく、組み立て後の高周波信号伝送品質が制御しにくく、大量に生産する時、理想的な品質が得られない。ケーブルの芯線とコネクタの導電端子のピンが整合できない欠点に対し、メーカーは、ケーブルとコネクタ間に、複数の回路板を層状に形成してなるピンボードを設けて、コネクタの導電端子とコネクタの芯線を、それぞれ、ピンボード両側に接続している。この方法は、ケーブルの芯線とコネクタの導電端子のピン位置が整合できないという問題を改善することが出来るが、ピンボードを準備して、コネクタの導電端子とコネクタの芯線を接続しなければならず、材料コスト、製造コストが増加する以外に、人手も必要である。
【０００４】
更に、デジタル家電製品の、軽、薄、短、小の趨勢に伴って、デジタル家電は、壁掛け式機能が要求され、家屋内の使用スペースが増加するが、公知の方法では、直線的な配列で、粗大な外形であるため、ケーブルコネクタ素子をデジタル家電に接続する際、デジタル家電とケーブルコネクタ素子間が、相互に平行に接続され、このためデジタル家電製品後方に、空間を残してケーブルを配線させる必要があり、ケーブルコネクタ素子を、電子製品の外表面に沿った配線をすることができず、余分な空間を占有してしまう。
【０００５】
よって、製造コストが安く、構造が簡単なケーブル構造を提供し、且つ、芯線が、精確に、コネクタピンと整合させることが出来、組み立てが容易で、理想的な高周波伝送信号の特性品質を達成し、且つ、ケーブルコネクタ素子を、電子製品の外表面に沿って配線可能として、上述の問題を改善する必要がある。
【特許文献１】特開２００２−３６７７３５号公報
【考案の開示】
【考案が解決しようとする課題】
【０００６】
本考案は、コネクタのケーブル構造を提供し、前述の問題を解決することを目的とする。
【課題を解決するための手段】
【０００７】
本考案のコネクタのケーブル構造は、絶縁層により、一つ、或いは、それ以上の遮蔽隔離層を被覆し、遮蔽隔離層は、もう一つの絶縁層により、複数の芯線ユニットと電源線を被覆し、芯線ユニットは、複数の相隣し、順に配列された芯線からなり、複数の芯線ユニットは、互いに相隣して配列されて、ケーブルを扁平状にし、芯線が、精確に、コネクタピンと整合するので、組み立ての便利性を向上させるだけでなく、理想的な高周波伝送信号の特性品質を達成する。
【０００８】
本考案のコネクタのケーブル構造は、芯線ユニットにより、相隣して配列して、ケーブルを扁平状にし、使用時に、人為ミスによりケーブルが捻曲する機会を減少させ、芯線とコネクタが、垂直配列か、平行配列を呈して接続され、ケーブルコネクタ素子を、電子製品の外表面に沿って配線することができ、これにより、電子製品が壁掛け、或いは、その他の方式で置放でき、ケーブルの構造が制限されない。
【０００９】
本考案のコネクタのケーブル構造は、遮蔽層により、芯線ユニットの電磁波を遮蔽し、各芯線間に、電磁波による相互干渉が生じるのを防止し、遮蔽隔離層により、外部電磁波とノイズを隔離し、ケーブルの高周波伝送信号が、外部の電磁波とノイズにより干渉されないようにする。
【考案の効果】
【００１０】
製造コストが安く、構造が簡単なケーブル構造を提供し、且つ、芯線が、精確に、コネクタピンと整合させることが出来、組み立てが容易で、理想的な高周波伝送信号の特性品質を達成し、且つ、ケーブルコネクタ素子を、電子製品の外表面に沿って配線して、空間を節約することができる。
【考案を実施するための最良の形態】
【００１１】
図１、及び、図２は、本考案の立体外観図と側視断面図である。図からわかるように、本考案のケーブル１は、芯線ユニット１１、電源線１２、遮蔽隔離層１３、及び、絶縁層１４、からなる。
【００１２】
芯線ユニット１１は、順に配列される複数の芯線１１１を有し、芯線ユニット１１外部は、遮蔽層１１２を包覆している。
【００１３】
電源線１２は、単芯の銅線、或いは、多芯銅線で囲繞してなる。
【００１４】
遮蔽隔離層１３は、アルミ箔を包覆、銅線で囲繞、或いは、銅線を編織してなる。
【００１５】
絶縁層１４は、絶縁材料からなる。
【００１６】
本考案を組み立てる時、まず、絶縁層１４により、一つ、或いは、それ以上の遮蔽隔離層１３を包覆し、遮蔽隔離層１３は、その内側の絶縁層１４により、複数の芯線ユニット１１と芯線１１１を包覆すると共に、芯線ユニット１１外部は、遮蔽層１１２で包覆して、電源線１２と電気的に接続し、遮蔽層１１２は、芯線ユニット１１が生成する電磁波を遮蔽して、芯線ユニット１１間の電磁波による相互干渉を防止し、且つ、複数の芯線ユニット１１は、互いに相隣して配列されて、ケーブル１を扁平状にし、ケーブル１は、遮蔽隔離層１３により、効果的に、電磁波干渉を回避して、高周波伝送信号が、外部の電磁波とノイズによる干渉を受けない。
【００１７】
図３〜図５は、コネクタの立体外観図、本考案とコネクタの連結時の状態図（１）（２）である。図からわかるように、本考案のケーブル１は、更に、コネクタ２上に接続され、コネクタ２は、一側に接続部２１を設け、接続部２１内側は、複数の導電端子２２を設けて、導電端子２２は、接続部２１の反対側に、ピン２２１を形成し、コネクタ２の外周は遮蔽ハウジング２３を構成して、外部の電磁波とノイズによる干渉を遮蔽し、信号の伝送不良を防止する。ケーブル１の芯線１１１の位置とコネクタ２のピン２２１位置は対応し、組み立て時、芯線１１１とピン２２１を順に接続し、芯線１１１とピン２２１が絡まるのを防止し、組み立て作業員が、作業中に、引っ掛けるなどして、芯線１１１とピン２２１が接触不良を起こす機会を減少させ、更に、ケーブル１の高周波信号の品質に影響するのを防止する。
【００１８】
上述の説明中のコネクタ２は、ケーブル１を電子製品上に接続すればよく、本考案の精神と領域を脱しない範囲内で、修飾や構造変化を加えることができる。
【００１９】
図６は、本考案の実際の使用時の状況を示す図で、図４、図５をあわせて参照すると、本考案のケーブル１は、コネクタ２に接続したい時、組み立て作業員は、芯線１１１とコネクタ２を垂直配列、或いは、平行配列の方式で組み立て、ケーブル１とコネクタ２を電子製品３（デジタルテレビ等）のアダプタ３１に接続すると共に、装着したい空間の配置状況によって、芯線１１１とコネクタ２の配列方式を選択し、ケーブル１は、電子製品３の外表面に沿って配線することにより、電子製品３は、壁にかけたり、その他の方式で置放することができ、ケーブル１の構造による制限を受けない。
【００２０】
本考案のケーブル１を実際に使用するとき、以下のような長所を有する。
（１）本考案の芯線ユニット１１は、複数の相隣し、順に配列される芯線１１１からなり、芯線１１１は、精確に、コネクタ２のピン２２１に整合し、組み立ての便利性を向上させ、理想的な高周波伝送信号の特性品質を達成する。
（２）本考案は、芯線ユニット１１を利用し、順に配列して、ケーブル１を扁平状にし、使用時に、人為ミスによりケーブル１が捻曲する機会を減少させ、芯線１１１とコネクタ２が、垂直配列か、平行配列を呈して接続され、ケーブルコネクタ素子を、電子製品３の外表面に沿って配線することができ、ケーブル１のよる空間容積を節約する。
（３）本考案は、遮蔽層１１２により、芯線ユニット１１の電磁波を遮蔽し、各芯線間１１に、電磁波による相互干渉が生じるのを防止する。
（４）本考案は、遮蔽隔離層１３により、効果的に、電磁波とノイズの干渉を回避して、ケーブル１の高周波伝送信号が、外部の電磁波とノイズによる干渉を受けない。
【００２１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２２】
【図１】本考案の立体外観図である。
【図２】本考案の側視断面図である。
【図３】コネクタの立体外観図である。
【図４】本考案とコネクタの連結時の状態を示す図である。
【図５】本考案とコネクタの連結時の状態を示す図である。
【図６】本考案の実際の使用時の状況を示す図である。
【図７】公知の装置とコネクタ連結時の状態を示す図である。
【符号の説明】
【００２３】
１…ケーブル
１１…芯線ユニット
１１１…芯線
１２…電源線
１３…遮蔽隔離層
１４…絶縁層
２…コネクタ
２１…接続部
２２…導電端子
２２１…ピン
２３…遮蔽ハウジング
３…電子製品
３１…アダプタ
A…ケーブル
A1…芯線
B…コネクタ
B１…ピン
【図１】
0003115454.tif 000003
【図２】
0003115454.tif 000004
【図３】
0003115454.tif 000005
【図４】
0003115454.tif 000006
【図５】
0003115454.tif 000007
【図６】
0003115454.tif 000008
【図７】
0003115454.tif 000009